(57)【要約】      （修正有）【課題】携帯型電子機器へ画面保護シートを自動的に貼り付ける画面保護用シートの貼着装置を提供する。【解決手段】延設部を備える剥離シートが裏面を覆う画面保護用シートを対象とし、機器配置部２と剥離動作部４１と貼着部５とを備え、貼着部５は吸着部５１と移動部５２とを備え、移動部５１は、画面保護用シートを吸着した吸着部５１を、機器配置部２上の携帯型電子機器ｋに向け、延設部側を先頭にして画面保護用シートの厚み方向と略直交する方向へ移動させ、移動前剥離動作部４１は、延設部を画面保護用シートを押圧して剥離シートを捲り、剥離動作部４１は、画面保護用シートの移動と逆方向へ移動して剥離シートを画面保護用シートから剥離させ、移動部５２は、吸着部５１にて画面保護用シートの裏面側を画面へ押し付ける。【選択図】図２
2017178317.tif 000002
【特許請求の範囲】
【請求項１】
スマートフォン等の携帯型電子機器の画面へ画面保護用シートを貼り付ける画面保護用シートの貼着装置であって、
前記画面保護用シートの前記画面へ貼り付けられる裏面の一部又は当該裏面全域には、再剥離性の糊による接着層が形成され、前記裏面に対し剥離シートが重ねられて前記裏面を覆っており、前記剥離シートは前記画面保護用シートの少なくとも一辺からはみ出す延設部を備え、
前記貼着装置は、前記携帯型電子機器を配置する機器配置部と、前記剥離シートを剥離させる剥離動作部と、剥離シートが剥がされた前記画面保護用シートの裏面を前記画面へ貼り付ける貼着部とを備え、
前記貼着部は、前記画面保護用シートの表面側を吸着保持する吸着部と、吸着部を移動させる移動部とを備え、
前記吸着部は、前記機器配置部に対し離れた位置にて前記画面保護用シートを吸着し、
前記移動部は、画面保護用シートを吸着した前記吸着部を、機器配置部の前記携帯型電子機器に向けて移動させ、携帯型電子機器の前記画面へ画面保護用シートの前記裏面側を押し付けるものであり、
前記移動の少なくとも一過程において、前記移動部は、前記吸着部について、画面保護用シートの前記一辺側を先頭にして前記画面保護用シートを前記画面保護用シートの厚み方向と略直交する方向へ移動させるものとし、
前記厚み方向と略直交する方向への移動中又は当該移動前、前記剥離動作部は、前記吸着部に対し相対的に画面保護用シートの前記先頭と交差するよう移動することにより、前記延設部を画面保護用シートの前記厚み方向について押圧して前記剥離シートを画面保護用シートの前記先頭側から捲り、前記捲り後、前記剥離動作部は、前記厚み方向と略直交する方向へ移動する前記画面保護用シートの当該移動に対し相対的に略逆方向へ移動し、捲った剥離シートを前記画面保護用シートの裏面から漸次剥離させて行くものであり、
前記移動部は、剥離シートの前記剥離後の前記画面保護用シートの裏面側を、前記携帯型電子機器の画面へ押し付けるよう前記吸着部を移動させることを特徴とする画面保護用シートの貼着装置。
【請求項２】
前記機器配置部は、前記携帯型電子機器を配置することができる配置面を備え、
前記配置面は、前記配置面上の携帯型電子機器を取り囲むように配置面上に設けられて前記携帯型電子機器の側面の各位置と当接する、複数の当接部を備え、
前記複数の当接部の一部は、前記配置面上の定位置に設けられて位置合わせ部をなし、前記複数の当接部の他の一部は、前記配置面上の前記携帯型電子機器に対する当たりとして、前記携帯型電子機器の移動を規制することができる規制部をなし、
前記規制部は、前記位置合わせ部に対する位置を変更できるように前記配置面上へ設けられ、前記規制部は、前記位置の変更によって寸法又は形状の異なる携帯型電子機器の夫々に対応することを特徴とする請求項１記載の画面保護用シートの貼着装置。
【請求項３】
前記剥離シートの前記延設部には、貫通穴又は切欠部が嵌合部として設けられ、
前記吸着部にて保持させる位置へ前記画面保護用シートを配置するシート配置部を備え、
前記シート配置部は、画面保護用シートに重ねられた前記剥離シートと対面するように、前記画面保護用シートを配置するシート配置面を有するものであり、
前記シート配置面には、剥離シートの前記嵌合部に嵌め合わされて前記シート配置面に対する画面保護用シートの位置決めを行う被嵌合部が設けられ、
前記被嵌合部は、前記シート配置面から出没自在に前記シート配置部へ設けられ、前記吸着部にて前記シート配置面上の画面保護用シートを吸着する際、前記シート配置面から没して嵌合部から脱するものであり、
前記剥離シートの前記画面保護用シートに重なる位置と、前記剥離シートの寸法と、前記剥離シートの形状と、前記剥離シートの形状と、前記剥離シートにおける嵌合部の位置の、少なくとも何れか１つを変更することによって、画面保護用シートの寸法又は形状の変更への対応に必要となる装置側の調整の手間を抑制することができる請求項１又は２に記載の画面保護用シートの貼着装置。
【請求項４】
前記貼着部は、前記吸着部へ接続された一つ又は複数の負圧供給部と、一つ又は複数の弁とを備え、
前記吸着部は、画面保護用シートの前記表面と対面する平らな当接面を備え、
前記当接面には、複数の吸引口が設けられ、前記負圧供給部は、前記吸引口へ負圧を供給して、前記当接面へ前記画面保護用シートを吸着させるものであり、
前記吸引口の夫々は、吸着を予定する前記画面保護用シートのうち最大の寸法のものに対応するよう、前記当接面に分布するものであり、
前記吸着部は、前記負圧供給部との接続部から複数の前記吸引口の夫々へ向けて分岐して伸びる通路を内部に備えたマニフォールドであり、
前記弁は、複数の前記吸引口のうち一部の吸引口への負圧の供給を遮断するものであり、
前記弁は、前記最大の寸法の画面保護用シートよりも小さい寸法の画面保護用シートを吸着する際、前記当接面において当該画面保護用シートと対面しない領域に設けられた前記吸引口への、負圧の供給を遮断することを特徴とする請求項１乃至３の何れかに記載の画面保護用シートの貼着装置。
【発明の詳細な説明】
【技術分野】
【０００１】
本願発明は、携帯型電子機器の画面保護用シートの貼着装置に関するものである。
【背景技術】
【０００２】
スマートフォンやタブレットなどの携帯端末にて代表されるように、最近の携帯型電子機器には、表示画面を操作面と兼用するものが増加の傾向にある。
このような状況下、携帯型電子機器の表示画面の損傷を防ぐため、当該表示画面へ貼り付けて使用する透明なプラスチックフィルムでできた画面保護用シートが普及しつつある。
この画面保護用シートには、画面へ貼り付けられる裏面へ、再剥離性の糊による接着層が形成されている。接着層は、当該裏面の全面へ設けられる場合もあるし、画面保護用シートの縁付近など当該裏面の一部へのみ設けられる場合もある。
何れの場合も、使用前の画面保護用シートが他へくっ付かないように、画面保護用シートの当該裏面に対し剥離シートが重ねられて当該裏面を覆っている。
画面保護用シートの使用に際しては、画面保護用シートの購入者が、画面保護用シートの裏面から剥離シートを剥がして、当該裏面を携帯型電子機器の画面へ貼り付けるのである。
【０００３】
しかし、画面保護用シートの携帯型電子機器の画面への上記貼り付けにおいて、不慣れな人や手先の不器用な人にとって画面のある位置へ適切に画面保護用シートを張り付けるのは難しく、面倒な作業である。このため、画面と画面保護用シートとの間へ埃を巻き込んだり、画面保護用フィルムに皺が寄ったりすることが往々にして生じた。
【０００４】
このような状況を鑑みて、特許文献１に示す画面保護フィルム貼付補助具が提案されている。
特許文献１へ示す画面保護フィルム貼付補助具は、機器に搭載されるモニタ画面に前記モニタ画面を保護するための保護フィルムを貼付するために用いられる画面保護フィルム貼付補助具であって、前記モニタ画面の少なくとも一部、及びその側面を囲うように成型されたフレームと、前記フレームを前記機器に装着して前記モニタ画面上をスライドさせることにより、前記モニタ画面に付着した除去対象物を除去するための除去用部材と、前記フレームに設けられ、前記除去用部材が前記モニタ画面上をスライドした後に、前記保護フィルムの貼付面が前記モニタ画面を向くように前記保護フィルムを供給するための供給用間隙部と、前記供給用間隙部を通して供給された前記保護フィルムの貼付面が前記モニタ画面に接するように押圧するための押圧用部材とを備えるものである。特許文献１のものでは、その図５へ示す通り、フレームを機器に装着してモニタ画面上をスライドさせることにより、除去用部材がモニタ画面に付着した汚れや埃を除去した後に、供給用間隙部から保護フィルムが供給され、押圧用部材で押圧されて保護フィルムがモニタ画面に貼付され、ユーザは、供給用間隙部から保護フィルムを供給しながら画面保護フィルム貼付補助具をモニタ画面上でスライドさせるだけで、容易にモニタ画面に保護フィルムを装着することができ、また、フレームは、モニタ画面の少なくとも一部、及びその側面を囲うように成型されるようにしたため、該フレームによって機器が保持された状態でスライドさせることができるため、保護フィルムを貼る際の位置ずれを防止することができるとされた。
【先行技術文献】
【特許文献】
【０００５】
【特許文献１】特許第５２４３６７０号公報
【発明の概要】
【発明が解決しようとする課題】
【０００６】
しかし、特許文献１は、相変わらず、人手にて上記画面への貼り付け作業を行う必要がある。また、当該貼付補助具によって改善されているとは言え、貼付補助具に対する保護フィルムの挿入は利用者が行わねばならず挿入の向きや仕方やスライドの速度によっては、皺が生じる危惧がある。
本願発明は、保護フィルム即ち画面保護用シートと当該画面保護用シートを貼り付ける携帯型電子機器とを所定の位置にセットするのみにて、人手を煩わすことなく自動的に、画面保護用シートを携帯型電子機器の画面へ貼り付ける貼着装置を提供して上記課題の解決を図る。
【課題を解決するための手段】
【０００７】
本願発明は、スマートフォン等の携帯型電子機器の画面へ画面保護用シートを貼り付ける画面保護用シートの貼着装置であって、次の構成を採るものを提供する。
即ち、前記画面保護用シートの前記画面へ貼り付けられる裏面の一部又は当該裏面全域には、再剥離性の糊による接着層が形成され、前記裏面に対し剥離シートが重ねられて前記裏面を覆っており、前記剥離シートは前記画面保護用シートの少なくとも一辺からはみ出す延設部を備え、前記貼着装置は、前記携帯型電子機器を配置する機器配置部と、前記剥離シートを剥離させる剥離動作部と、剥離シートが剥がされた前記画面保護用シートの裏面を前記画面へ貼り付ける貼着部とを備え、前記貼着部は、前記画面保護用シートの表面側を吸着保持する吸着部と、吸着部を移動させる移動部とを備え、前記吸着部は、前記機器配置部に対し離れた位置にて前記画面保護用シートを吸着し、前記移動部は、画面保護用シートを吸着した前記吸着部を、機器配置部の前記携帯型電子機器に向けて移動させ、携帯型電子機器の前記画面へ画面保護用シートの前記裏面側を押し付けるものであり、前記移動の少なくとも一過程において、前記移動部は、前記吸着部について、画面保護用シートの前記一辺側を先頭にして前記画面保護用シートを前記画面保護用シートの厚み方向と略直交する方向へ移動させるものとし、前記厚み方向と略直交する方向への移動中又は当該移動前、前記剥離動作部は、前記吸着部に対し相対的に画面保護用シートの前記先頭と交差するよう移動することにより、前記延設部を画面保護用シートの前記厚み方向について押圧して前記剥離シートを画面保護用シートの前記先頭側から捲り、前記捲り後、前記剥離動作部は、前記厚み方向と略直交する方向へ移動する前記画面保護用シートの当該移動に対し相対的に略逆方向へ移動し、捲った剥離シートを前記画面保護用シートの裏面から漸次剥離させて行くものであり、前記移動部は、剥離シートの前記剥離後の前記画面保護用シートの裏面側を、前記携帯型電子機器の画面へ押し付けるよう前記吸着部を移動させる。
尚、ここでいうスマートフォン等の携帯型電子機器は、携帯できる電子機器であって画面保護用シートにて保護するディスプレイを備えたものであればよく、スマートフォン、タブレット、携帯電話、ＰＤＡ、携帯ゲーム機、電子辞書、電子書籍の携帯型可読装置、携帯ナビゲーション機、ノートパソコン、デジタルカメラ、携帯型テレビ、携帯型音楽再生装置、携帯型動画再生装置を含む。
上記の「画面へ画面保護用シートを貼り付ける」とは、画面にのみ画面保護用シートを張り付ける場合も、画面を含んで画面よりも広い領域にで画面保護用シートを貼り付ける場合も、画面の一部にのみ画面保護用シートを貼り付ける場合も含む。例えば、携帯型電子機器の一面全域が画面である場合と他当該一面の一部の領域が画面の場合の何れの場合も画面を超え当該全域に画面保護用シートを貼り付けるものとしてもよい。上記と逆に画面の一部の領域にのみ液晶部或いは感圧センサ部が設けられている場合は、画面中当該一部の領域即ち保護を必要とする領域にのみ画面保護用シートを張り付けるものとしてもよい。
また、本願発明では、前記機器配置部は、前記携帯型電子機器を配置することができる配置面を備え、前記配置面は、前記配置面上の携帯型電子機器を取り囲むように配置面上に設けられて前記携帯型電子機器の側面の各位置と当接する、複数の当接部を備え、前記複数の当接部の一部は、前記配置面上の定位置に設けられて位置合わせ部をなし、前記複数の当接部の他の一部は、前記配置面上の前記携帯型電子機器に対する当たりとして、前記携帯型電子機器の移動を規制することができる規制部をなし、前記規制部は、前記位置合わせ部に対する位置を変更できるように前記配置面上へ設けられ、前記規制部は、前記位置の変更によって寸法又は形状の異なる携帯型電子機器の夫々に対応する画面保護用シートの貼着装置を提供できた。
更に、本願発明では、前記剥離シートの前記延設部には、貫通穴又は切欠部が嵌合部として設けられ、前記吸着部にて保持させる位置へ前記画面保護用シートを配置するシート配置部を備え、前記シート配置部は、画面保護用シートに重ねられた前記剥離シートと対面するように、前記画面保護用シートを配置するシート配置面を有するものであり、前記シート配置面には、剥離シートの前記嵌合部に嵌め合わされて前記シート配置面に対する画面保護用シートの位置決めを行う被嵌合部が設けられ、前記被嵌合部は、前記シート配置面から出没自在に前記シート配置部へ設けられ、前記吸着部にて前記シート配置面上の画面保護用シートを吸着する際、前記シート配置面から没して嵌合部から脱するものであり、  前記剥離シートの前記画面保護用シートに重なる位置と、前記剥離シートの寸法と、前記剥離シートの形状と、前記剥離シートの形状と、前記剥離シートにおける嵌合部の位置の、少なくとも何れか１つを変更することによって、画面保護用シートの寸法又は形状の変更への対応に必要となる装置側の調整の手間を抑制することができる画面保護用シートの貼着装置を提供できた。
尚、剥離シートに対する画面保護用シートの位置の変更には、剥離シートに対する画面保護用シートの占める範囲即ち画面保護用シートの大きさの変更も含む。
また更に本願発明では、前記貼着部は、前記吸着部へ接続された一つ又は複数の負圧供給部と、一つ又は複数の弁とを備え、前記吸着部は、画面保護用シートの前記表面と対面する平らな当接面を備え、前記当接面には、複数の吸引口が設けられ、前記負圧供給部は、前記吸引口へ負圧を供給して、前記当接面へ前記画面保護用シートを吸着させるものであり、前記吸引口の夫々は、吸着を予定する前記画面保護用シートのうち最大の寸法のものに対応するよう、前記当接面に分布するものであり、前記吸着部は、前記負圧供給部との接続部から複数の前記吸引口の夫々へ向けて分岐して伸びる通路を内部に備えたマニフォールドであり、前記弁は、複数の前記吸引口のうち一部の吸引口への負圧の供給を遮断するものであり、前記弁は、前記最大の寸法の画面保護用シートよりも小さい寸法の画面保護用シートを吸着する際、前記当接面において当該画面保護用シートと対面しない領域に設けられた前記吸引口への、負圧の供給を遮断する画面保護用シートの貼着装置を提供できた。
【発明の効果】
【０００８】
本願発明は、スマートフォン等の携帯型電子機器の画面へ自動的に画面保護用シートを貼り付ける画面保護用シートの貼着装置を提供できた。
特に、画面へ貼り付けられる裏面側へ再剥離性の糊の接着層を備え且つ当該裏面に対し剥離シートが重ねられた画面保護用シートにおいて、剥離シートを円滑に剥がすことができ、画面保護用シートへ皺が生じるのを抑制できた。
また、本願発明は、上記規制部の位置の変更によって、一台の貼着装置にて、寸法や形状の異なる種々の携帯型電子機器の画面へ上記画面保護用シートを貼り付けることができる。実施の形態レベルにおいて、特にスマートフォンとタブレット端末の双方に対応でき、一台の貼着装置にて、スマートフォンとタブレット端末の双方の画面への上記画面保護用シートの貼り付けが行える。
更に、本願発明では、携帯型電子機器の種類によって異なる寸法の画面保護用シートへの吸着部による吸着のための位置合わせの対応を、剥離シートに対する画面保護用シートの位置の変更、更には剥離シートの寸法や形状、嵌合部の位置の変更によって行うことができ、シート配置部や機器配置部の位置調整などの装置側での調整の手間を減らすことができる。
更にまた、本願発明では、平らな当接面を備えたマニフォールドを、吸着部に採用することによって、負圧を供給する複数の吸引用の管の先や吸盤を画面保護用シートへ当てて当該画面保護用シートを吸着する場合に管先や吸盤と当接地する部位の周囲に生じがちな皺が生じ難い。また、複数の当該管へ負圧を供給するのに複数のホースを繋ぐと、経時の劣化によってホースから吸気の漏れが生じる危惧がある。当該ホースにおける漏れ位置の特定は難しく、修復は手間の掛かるものとなる。上記マニフォールドを採用する本願発明にあっては、このような吸気の漏れ発生の可能性が小さく、メンテナンスに要する労力やコストを抑制することができる。
【図面の簡単な説明】
【０００９】
【図１】（Ａ）は本願発明に係る画面保護用シートの貼着装置の一実施の形態を示す略全体正面図、（Ｂ）は（Ａ）の画面保護用シートの貼着装置の略全体背面図。
【図２】（Ａ）は図１（Ａ）の画面保護用シートの貼着装置の内部構造を破線で示す略全体正面図、（Ｂ）は（Ａ）の内部構造の略正面図。
【図３】（Ａ）は図１（Ａ）の画面保護用シートの貼着装置の使用前の要部（機器配置部）の平面図、（Ｂ）は（Ａ）のＸ−Ｘ断面図、（Ｃ）は（Ａ）の画面保護用シートの貼着装置をスマートフォンに使用している状態を示す要部平面図。
【図４】（Ａ）は図３（Ｃ）の画面保護用シートの貼着装置をタブレットに使用している状態を示す要部平面図、（Ｂ）は図１（Ａ）の画面保護用シートの貼着装置の要部（主としてシート配置部）へ画面保護用シートを配置した状態を示す平面図。
【図５】（Ａ）は図１（Ａ）の画面保護用シートの貼着装置の要部（吸着部）の底面図、（Ｂ）（Ａ）のＹ−Ｙ断面図、（Ｃ）は（Ａ）のＺ−Ｚ断面図。
【図６】（Ａ）〜（Ｃ）は、図２（Ｂ）へ示す画面保護用シートの貼着装置の稼働の各過程を示す内部構造の略正面図。
【図７】（Ａ）〜（Ｃ）は、図６（Ｃ）の状態以降について、図２（Ｂ）へ示す画面保護用シートの貼着装置の稼働の各過程を示す内部構造の略正面図。
【図８】（Ａ）は図６（Ｂ）から図６（Ｃ）への移行過程の詳細を示す上記画面保護用シートの貼着装置の要部（シート配置部及び剥離動作部の）略正面図、（Ｂ）は上記装置にて携帯型電子機器の画面へ貼り付けられる画面保護用シートｍの略断面図。
【発明を実施するための形態】
【００１０】
以下、図面に基づき本願発明の実施の形態を説明する。尚、各図において、説明の便宜上、装置についてＵは上方、Ｓは下方、Ｆは前方、Ｂは後方、Ｌは左側、Ｒは右側を示す。但し面保護用シートｍの各辺の命名は、当該装置の前後左右と異なり処理中のシートの進行方向を基準としている。
尚図８（Ｂ）において、図面の煩雑を避けるため、ハッチングは省略する。
ここでは、画面保護用シートｍが液晶画面に貼り付けられる携帯型電子機器ｋとして、スマートフォン及びタブレットを例示する。
【００１１】
（画面保護用シートｍ）
先ず、本願発明に係る装置によって、上記携帯型電子機器ｋの画面へ貼り付けられる画面保護用シートｍについて説明する。
図４（Ｂ）及び図８（Ａ）へ示す通り、画面保護用シートｍは、図中右側の前辺ｍａと、図中手前（下）側の側辺ｍｂと、図中奥（上）側の側辺ｍｃと、図中左側の後辺ｍｄとに象られた平面視略矩形に形成されたプラスチック製の透明フィルムである。
画面保護用シートｍは、この例では、その下面即ち裏面ｍ２側の全域に再剥離性の糊による接着層が形成されている（図示は省略）。但し上記裏面ｍ２の一部にのみ接着層が形成されるものを排除するものではない。
【００１２】
図４（Ｂ）及び図８（Ｂ）へ示す通り、画面保護用シートｍの上記裏面ｍ２には、剥離シートｎが重ねられて裏面ｍ２を覆っている。
剥離シートｎは、この例では、画面保護用シートｍの上記形状に対応して平面矩形のプラスチック製のフィルムである。
画面保護用シートｍの平面視において、剥離シートｎは、この例では、画面保護用シートｎの各辺からはみ出す延設部を備える。図４（Ｂ）において、ｎａは前記延設部のうち画面保護用シートｍの前辺ｍａから図中左側即ち処理中のシートの移動方向へはみ出す前延設部を、ｎｂは上記手前側の側辺ｍｂから手前側へはみ出す側延設部を、ｎｃは上記奥側の側辺ｍｃから奥側へはみ出す側延設部を、ｎｄは処理中のシートの上記後辺ｍｄからシートの移動方向と反対方向へはみ出す後延設部を示している。
この例では、図４（Ｂ）及び図８（Ｂ）へ示す通り、前延設部ｎａと側延設部ｎｂの夫々に、剥離シートｎの上面ｎ１から下面ｎ２へ貫通穴が嵌合部ｎ３として設けられている。
但し、嵌合部ｎ３の配置や数は、図示したものに限定するものではなく、前延設部ｎａ及び側延設部ｎｂ以外の延設部に設けて実施することも可能である。
また、嵌合部ｎ３は後述する被嵌合部と嵌め合わせることができればよく、上記貫通穴以外に、剥離シートｎの縁に切欠部を設けて実施するものとしてもよいし、上記貫通穴や切欠部を別途設けるのではなく例えば嵌合部ｎ３を平面視矩形の剥離シートｎ自身の四隅としても実施できる。
【００１３】
剥離シートｎの画面保護用シートｍに重なる位置や、剥離シートｎの寸法、剥離シートｎの形状、剥離シートｎにおける嵌合部ｎ３の位置の何れかを変更することによって、画面保護用シートの寸法又は形状の変更即ち携帯型電子機器ｋの変更への対応に必要となる装置側の調整の手間を少なくすることができる。特に、画面保護用シートｍの寸法や形状が変更されて剥離シートｎの画面保護用シートｍに重なる位置が変わっても、当初より各変更に対応できる位置に嵌合部ｎ３を設けることにより、上記変更において、剥離シートｎの寸法、剥離シートｎの形状、当該嵌合部ｎ３の位置を変えずに対応することができ、より一層手間が省ける。この場合、当初より当該嵌合部ｎ３の位置と対応する位置に後述の被嵌合部を設定しておけばよい。
【００１４】
（装置の全体構成）
図１及び図２へ示す通り、この画面保護用シートの貼着装置は、ケース１と、ケース内へ収容された内部機構（図２（Ｂ））とを備える。
上記の内部機構は、機器配置部２と、シート配置部３と、剥離機構部４と、貼着部５と、電源部（図示しない。）と、各部の動作を制御する制御部（図示しない。）とを備える。
以下各部の詳細について順に説明する。
【００１５】
（ケース１）
ケース１は、図１へ示す通り、略直方体の筺体である。この例では、ケース１は、主として、内部を観察可能な透明プラスチックにて形成されている。
図１（Ａ）へ示す通り、ケース１の正面には、ケース１の外から未使用の上記画面保護用シートｍをケース１内へ挿入してシート配置部３へ配置するための第１開閉部１１が設けられている。第１開閉部１１の隣（右）には、ケース１対し携帯型電子機器ｋを出し入れするための第２開閉部１２が設けられている。また、この例では、第２開閉部１２の下方に、使用済みの剥離シートｎを回収するための第３開閉部１３が設けられている。
第１開閉部１１、第２開閉部１２及び第３開閉部１３の夫々は、ケース１に設けられた開口部と、当該開口部を開閉自在に塞ぐ扉とにて構成される。
ケース１には、商用電源と接続されて上記電源部へ電気を供給する電源コードが設けられている（図示しない）。
【００１６】
図１（Ｂ）へ示す通り、ケース１背面にはファン１４が設けられている。ファン１４は、外気をケース１内へ導入することにて装置の使用中ケース１内を加圧状態にし、ケース１外部から塵や埃が侵入するのを防止する。ファン１４には防塵フィルターを内蔵したものを採用するのが好ましい。
ファン１４は、ケース１背面に限定するものではなく、ケース１の他の位置に設けて実施してもよい。
また、ケース１の表面には、装置の各設定や電源のオン・オフを行う操作部が設けられている（図示は省略する）。
【００１７】
（機器配置部２）
図３（Ａ）（Ｃ）へ示す通り、機器配置部２は、平面視長方形の台板である。機器配置部２の上面は、携帯型電子機器ｋを配置することができる配置面２１をなすものである。
図２（Ａ）へ示す通り、機器配置部２は、第２開閉部１２から携帯型電子機器ｋを配置することができるようにケース１内にて第２開閉部１２の近傍に設けられている。
図２（Ｂ）へ示す通り、ケース１には、ケース１内を前後方向Ｆ，Ｂに伸びる即ち、図２（Ｂ）において奥から手前側に伸びるガイドレール２４が設けられている。機器配置部２の下面には、ガイドレール２４に案内されてされるガイド部２５が設けられている。ガイドレール２４にガイド部２４が案内されることによって、機器配置部２は、前後に移動することができる。当該移動によって、第２開閉部１２から、機器配置部２を出し入れすることができる。そして、ケース１外部へ引き出した機器配置部２の配置面２１へ携帯型電子機器ｋを置くことができる。
ガイドレール２４は、図示を省略するが、後方Ｂ側から前方Ｆ側へ向けて漸次高くなるように若干傾斜している。
【００１８】
図３（Ｃ）へ示す通り、配置面２１は、配置面２１上の携帯型電子機器ｋを取り囲むように配置面２１上に設けられて携帯型電子機器ｋの側面の各位置と当接する、複数の当接部２２を備える。
複数の当接部２２の一部は、配置面２１上の定位置に設けられて位置合わせ部２２ａをなし、複数の当接部２２の他の一部は、前記配置面２１上の携帯型電子機器ｋに対する当たりとして、携帯型電子機器ｋの移動を規制して、位置合わせ部２２ａから離れるのを規制する規制部２２ｂをなしている。
図３（Ｃ）及び図４（Ａ）へ示す通り、位置合わせ部２２ａは、配置面２１上に置かれた携帯型電子機器ｋの一つの角ｋ３を挟む２つの当たりである。
規制部２２ｂは、位置合わせ部２２ａに対する位置を変更できるように前記配置面２１上へ設けられている。
【００１９】
具体的には、位置合わせ部２２ａは、配置面２１から突出する突起であり、配置面２１へ固定されている。但しこの例では、配置面２１には、図３中黒丸で示す複数の凹部が設けられており、位置合わせ部２２ａは当該凹部へ差し込むことによって固定することができるピンであり、差し込む凹部を選択することによって位置合わせ部２２ａの位置を調整できるものとなっている。但し、使用しない凹部を設けないものとし或いは位置合わせ部２２ａを配置面２１から分離できないものとし、位置合わせ部２２ａの当該位置調整は行わないものとしても実施できる。
【００２０】
一方この例では、各規制部２２ｂは、配置面２１をスライドすることによって、位置合わせ部２２ａへ接近し或いは離反することができる。
詳しくは、図３（Ａ）へ示す通り、機器配置部２には、上記スライドの方向に伸びる溝２３が形成されている。図３（Ｂ）へ示す通り、溝２３の伸びる方向と直交する方向の溝２３の幅については、溝２３の奥側が溝２３の開口部側よりも大きい。一方、露出する規制部２２ｂの先端側と異なり、溝２３内に収容される規制部２２ｂの基部側は、溝２３の伸びる方向と直交する方向の溝２３の開口幅よりも大きな幅を備え、規制部２２ｂは溝２３から脱落しない。
図３（Ｃ）は、携帯型電子機器ｋとしてスマートフォンｋ１の例を示し、図４（Ａ）は携帯型電子機器ｋとしてタブレットｋ２の例を示す。このような携帯型電子機器ｋの変更に関わらず位置合わせ部２２にて必ず定位置を基準として携帯型電子機器ｋの配置位置を合わせることができる。そして、このような携帯型電子機器ｋの変更に対し、各規制部２２ｂの上記スライドによる位置の変更にて対応することができるのである。
尚、図示した以外に、携帯型電子機器ｋの変更を頻繁に行わない場合などにおいて規制部２２ｂをネジ止めにより一旦調整した位置がずれないようにしても実施できる（図示しない）。
【００２１】
（シート配置部３）
図２（Ｂ）及び図４（Ｂ）へ示すシート配置部３は、画面保護用シートｍを、後述する吸着部５１に保持させる位置へ配置するものである。
シート配置部３部は、上面をシート配置面３１とする台であり、ケース１へ固定されている。シート配置部３部は、装置の側面視において略コ字状を呈し、コ字の両端がケース１の底部上面へ固定されている。
【００２２】
図２（Ａ）へ示す通り、シート配置部３は、第１開閉部１１から画面保護用シートｍをセットできるようにケース１内において第１開閉部１１の近傍に設けられている。
シート配置面３１には画面保護用シートｍが置かれ、シート配置面３１は画面保護用シートｍに重ねられた剥離シートｎの下面ｎ２と対面する（図６（Ａ））。
図２（Ｂ）及び図４（Ｂ）へ示す通り、シート配置面３１には、剥離シートｎの嵌合部ｎ３に嵌め合わされてシート配置面３１に対おける画面保護用シートｍの位置決めを行う被嵌合部３２が設けられている。
被嵌合部３２は、周知の手段にて、シート配置面３１から出没自在にシート配置部３へ設けられた突起である。図示は省略するが、例えば、シート配置部３はモータにて駆動されるカム機構を備えるものとし、前記制御部が当該モータを制御して当該カム機構を稼働し被嵌合部３２を収容する受容凹部内からシート配置面３１に対し出没させるものとして実施することができる。
後述する吸着部５１にてシート配置面３１上の画面保護用シートｍを吸着する際に、制御部は、被嵌合部３２を、シート配置面３１から没せしめて、嵌合部ｎ３から離脱させる。
【００２３】
（貼着部５）
図２（Ａ）（Ｂ）へ示す通り、貼着部５は、画面保護用シートｍの表面ｍ１側を吸着保持する吸着部５１と、吸着部５１を移動させる移動部５２と、前記吸着部へ接続された一つ又は複数の負圧供給部と、複数の弁５３とを備える。
図５（Ａ）〜（Ｃ）へ示す通り、吸着部５１は、画面保護用シートｍの前記表面と対面する平らな当接面５１ｃを備える。当接面５１ｃには、複数の吸引口５１ａ，５１ｂが設けられている。前記負圧供給部は、吸引口５１ａ，５１ｂへ負圧を供給して、当接面５１ｃへ画面保護用シートｍの表面ｍ１側を吸着させる。
吸引口５１ａ，５１ｂの夫々は、吸着を予定する画面保護用シートｍのうち最大の寸法のものに対応するよう互いの間隔を開けて、当接面５１ｃに分布する。この例では、取り扱う最小の画面保護用シートｍはスマートフォンｋ１用であり、図５（Ａ）へ二点鎖線で示す通りその画面ｇに対応する領域ａに、吸引口の一部（吸引口５１ａ）が分布する。そしてこの例では、取り扱う最大の画面保護用シートｍはタブレットｋ２用であり、図５（Ａ）へ破線で示す通りその画面ｇに対応する領域ｂに、吸引口５１ａ，５１ｂの全てが分布する。即ち、上記の領域ａは領域ｂに包含されるので、スマートフォンｋ１に対応する上記領域ａの吸引口５１ａは、タブレットｋ２に対応する上記領域ｂにて、他の一部の吸引口５１ｂと共に分布するものでもある。
吸着部５１は、前記負圧供給部との接続部から複数の吸引口５１ａ，５１ｂの夫々へ向けて分岐して伸びる通路を内部に備えたマニフォールドである。また、弁５は、電磁弁である。
スマートフォンｋ１の画面保護用シートｍを吸着する際、複数の吸引口５１ａ，５１ｂのうち上記他の一部の吸引口５１ｂへの負圧の供給を一部の弁５が遮断する。
即ち、弁５は、最大の寸法の画面保護用シートｍよりも小さい寸法の画面保護用シートｍを吸着する際に、上記の通り当接面５１ｃにおいて当該画面保護用シートｍと対面しない領域（領域ｂから領域ａを除いた領域）に設けられた吸引口５１ｂへの、負圧の供給を遮断するのである。
この例では、スマートフォンとタブレットとの二種に対応するものとしたが、三種以上の携帯型電子機器に対応するものとしても実施でき、その場合、領域ａ，ｂの他、スマートフォンとタブレット以外の携帯型電子機器の画面に対応する領域を設定し、当該領域に対応する吸引口や弁５を増やせばよい（図示は省略する）。
【００２４】
図２（Ａ）（Ｂ）へ示す通り、移動部５２は、先端側に上記吸着部５１が設けられたピストン部５２ａと、ピストン部５２ａを出没自在に収容するシリンダ部５２ｂと、ケース１に設けられた案内部５２ｃとを備える。
案内部５２ｃは、図２（Ａ）（Ｂ）において左右方向Ｌ，Ｒへ伸びるガイドバーであり、シリンダ部５２ｂは案内部５２ｃに取り付けられ、モータ等の駆動装置にて、ケース１内を左右方向Ｌ，Ｒへ移動することができる。案内部５２ｃは、シート配置部３上方から機器配置部２上方へ向けて伸びる。
上記構成にて、移動部５２は、案内部５２ｃに沿ってシート配置部３から機器配置部２に向け横方向へ吸着部５１を移動させることができるのである。
【００２５】
ピストン部５２ａは、ピストン部５２ａから出没することによって、シリンダ部５２ｂに対して上下に移動することができる。また、この例では、ピストン部５２ａ内にはシリンダ部５２ｂ内から吸着部５１へ接続され且つピストン部５２ａがシリンダ部５２ｂから下方へ伸び出た際にシリンダ部５２ｂ内に発生する負圧を吸着部５１へ導く吸気路が設けられている（図示しない）。即ち、この例では、ピストン部５２ａとシリンダ部５２ｂとが上記負圧供給部を構成するのである。但し、ピストン部５２ａとシリンダ部５２ｂを上記負圧供給部として利用する以外に、上記負圧供給部として別途エアポンプを吸着部５１へ接続するものとしても実施できる。
移動部５２は、剥離機構部４による後述の剥離シートｎ剥離後、機器配置部２の上方へ到達した吸着部５１をピストン部５２ａを伸ばすことにより更に降下させ、画面保護用シートｍの裏面ｍ２側を、携帯型電子機器ｋの画面ｇへ押し付けることができる。
【００２６】
（剥離機構部４）
図２（Ｂ）、図４（Ｂ）及び図８（Ａ）へ示す通り、剥離機構部４は、移動部５による画面保護用シートｍの移動中、前記剥離シートｎを画面保護用シートｍの裏面ｍ２から剥離させるものである。この例では、剥離機構部４は、画面保護用シートｍの図２（Ｂ）の左方Ｌから右方Ｒへの移動中に、前記剥離シートｎを画面保護用シートｍの裏面ｍ２から剥離させる。
具体的には、剥離機構部４は、剥離動作部４１と、作動部４２と、軸止部４３と、受け部４４と、駆動部４５と、排出案内部４６とを備える。
【００２７】
この例では、剥離動作部４１はフリーのローラであり、作動部４２は当該ローラを回動自在に保持する２本のアームであり、軸止部４３は当該アームを揺動可能に軸止する。
作動部４２の２本のアームの先端間にて、剥離動作部４１であるローラは、回動自在に保持されている（図４（Ｂ））。軸止部４３は作動部４２の２本のアームの基部側を軸止する。軸止部４３はモータ等の動力源（図示しない。）から動力を得て当該基部側を中心に２本のアームを揺動する。この揺動によって、剥離動作部４１であるローラは、図２（Ｂ）及び図８の左方Ｌから右方Ｒへの移動中の画面保護用シートｍの進行方向に対し上方から下方へ移動して交差することができる。受け部４４は駆動部４５から動力の供給を受けて自転する回転ローラである。駆動部４５にはモーター等周知の駆動手段を採用する。受け部４４である回転ローラはケース１の定位置に固定されている。受け部４４である回転ローラは、上記揺動にて降下してきた剥離動作部４１のローラとの間に剥離シートｎを挟むことができる。排出案内部４６は、画面保護用シートｍから剥離した剥離シートｎを第３開閉部１３の近傍へ案内する。
【００２８】
上記の通り、図２（Ｂ）の左方Ｌから右方Ｒへの移動中、即ち画面保護用シートｍの厚み方向と略直交する方向への移動中、剥離動作部４１は、吸着部５１に対し相対的に画面保護用シートｍの前記先頭と交差するよう移動することにより、前延設部ｎａを画面保護用シートｍの前記厚み方向即ち下方について押圧し剥離シートｎを画面保護用シートｍの前記先頭側から捲ることができる。
前記捲り後、剥離動作部４１は、前記厚み方向と略直交する方向へ移動する画面保護用シートｍの当該移動に対し相対的に略逆方向へ移動し、捲った剥離シートｎを画面保護用シートｍの裏面から漸次剥離させて行く。この相対的に逆方向へというのは、移動中の画面保護用シートｍ側から見てということであり、剥離動作部４１は必ずしもケース１に対して画面保護用シートｍと逆方向に移動している必要はない。
【００２９】
（電源部）
上記電源部は、上記電源コードを通じ外部の商用電源から上記内部機構へ電気を供給する。但し、商用電源に限定するのではなく、バッテリを使用するものとしてもよい。
（制御部）
制御部は、電源部から電気の供給を受け、上述してきた各駆動手段や動力源への電気の供給を制御して、貼着装置の上記各部の動作を制御する。
図示は、省略するが、制御部にはセンサが接続され、上記各部の作動時期を検出して、各部の動作のタイミングを合わせるものとしても実施できる。例えば、吸着部５１とケース１内の吸着部５１の移動経路中に、発光部と受光部とにて構成された光センサを設けて受光部が発光部が発する光を受光したとき或いは受光部がそれまで受光していた発光部の光を遮断されたときを基準として、各部に次の動作を開始させるものとしても実施できる。また、このような光センサに代えて感圧センサなどの物理センサを用いるものとしても実施できる。更には、各駆動手段や動力源にサーボモータを採用し、モータの回転軸の向きや回転数を検出して、各部の作動のタイミングを検出するものとしても実施できる。この他、制御部にはタイマが設けられ、作動開始時点からの時間の経過を検出して、各部の作動のタイミングを図るものとしても実施できる。
【００３０】
（装置の運用）
装置の運用について説明する。
上記操作部の操作により、電源部をオンにし、ファン１４を作動させて、ケース１内を加圧状態にする。
装置の使用開始時、吸着部５１は移動部５２により機器配置部２の配置面２１の真上に配置されている。即ち、左右方向について吸着部５１は図７（Ｂ）に示すのと同様の位置にある。但し、吸着部５１は、図７（Ｂ）と異なり画面保護用シートｍを吸着していない状態で機器配置部２の配置面よりも上方に後退しており、携帯型電子機器ｋも機器配置部２の配置面２１上にはない。このときシート配置部３の被嵌合部３２については、図２（Ｂ）に示すようにシート配置面３１から突出している。また、剥離機構部４の軸止部４３は、作動部４２の先端側を下方に向け、剥離動作部４１をシート配置面３１より下方へ配置した状態を維持している。
【００３１】
利用者は、第１開閉部１１の扉を開いて、カイドレール２４（図２（Ｂ））に沿って手前に機器配置部２を引き出す。図３（Ｂ）又は図４（Ａ）へ示す通り、機器配置部２の配置面２１上の所定の位置へ携帯型電子機器ｋを配置する。当該配置において前述の当接部２２にて、機器配置部２の配置面２１上の所定の位置へ適切に携帯型電子機器ｋの位置合わせを行う。当該配置後、引き出していた機器配置部２を元のケース１内へ戻し第１開閉部１１を閉じる。
タブレットｋ２の場合を例示すると、上記にてタブレットｋ２を図４（Ａ）へ示すように配置面２１へタブレットｋ２を配置した後、利用者は第２開閉部１２を開いて図４（Ｂ）へ示すようにシート配置部３のシート配置面３１に画面保護用シートｍを配置する。当該配置において、突出している被嵌合部３２を画面保護用シートｍ裏面ｍ２の剥離シートｎの嵌合部ｎ３へ嵌め込んで、シート配置部３１の所定の位置に確実に画面保護用シートｍを配置することができる。画面保護用シートｍの当該配置後、第２開閉部１２を閉じる。
【００３２】
上記の携帯型電子機器ｋと画面保護用シートｍの配置が完了すると、利用者は上記操作部を操作して、貼着装置に貼着作業を開始させる。
上記操作部の操作を受けて、上記制御部は、移動部５にて吸着部５１をシート配置部３のシート配置面３１の真上に移動させる。
前述のセンサ或いはタイマなどにて吸着部５１のシート配置面３１の真上への到達を制御部が検出すると、制御部は、図６（Ａ）へ示す通り、剥離機構部４の軸止部４３を稼働させて、作動部４２の先端側を上方に向けるように揺動し、剥離動作部４１をシート配置面３１より上方へ移動させる。
そして、制御部は、被嵌合部３２をシート配置面３１から没した状態とし、嵌合部ｎ３から被嵌合部３２を抜く。
【００３３】
次に制御部は、図７（Ｂ）へ示す通り、移動部５のピストン部５２ａの先端を下方へ伸ばして吸着部５を降下させ、当接面５１ｃを画面保護用シートｍの表面ｍ１へ当接させる。当接の際弁５３（電磁弁）は開かれる。そして負圧供給部からの負圧により画面保護用シートｍの表面ｍ１は、吸引口５１ａ，５２ｂに吸引され吸着部５に吸着保持される。
【００３４】
画面保護用シートｍが吸着された後、上記制御部は、軸止部４３の稼働にて作動部４２先端側を下方へ向けるように揺動させ剥離動作部４１であるローラを受け部４４である回転ローラへ接触させる。
図６（Ｃ）へ示す通り、剥離動作部４１の上記動作によって、剥離動作部４１と受け部４４に剥離シートｎの前延設部ｎａが挟まれる。図８（Ａ）へ示す通り、受け部４４である回転ローラは、シート配置部３のシート配置面３１の先端即ち右端よりも左側に位置する。このため、剥離動作部４１の上記動作中、円滑に剥離シートｎは円滑に画面保護用シートｍから下方左側へ捲られた状態となる。
上記の通り、剥離動作部４１と受け部４４に剥離シートｎの前延設部ｎａが挟まれると、上記制御部は駆動部４５の駆動にて受け部４４を回転させる。更に上記制御部は受け部４４の回転と同時に、移動部５２を稼働して吸着部５１を横方向即ち右方Ｒへ移動開始させる。この吸着部５１の移動の速さと、受け部４４の回転の回転による剥離シートｎの送りの速さは同じになるように設定する。当該速さの一致によって、図７（Ａ）へ示す通り、剥離シートｎは円滑に剥がされていくのである。図７（Ｂ）へ示す通り、剥がされた隔離シートｎは、排出案内部４６に案内されて第３開閉部１３の近傍へ落とされる。
上記制御部において、図７（Ｂ）へ示す通り、吸着部５１が機器配置部２の配置面２１の真上に移動したことを検出すると、図７（Ｃ）へ示す通り、上記制御部は、移動部５２にて吸着部５１を降下させて携帯型電子機器ｋの画面ｇへ画面保護用シートｍを押し付けると共に、弁５３を閉じて負圧を解除し携帯型電子機器ｋの画面ｇへ画面保護用シートｍを貼り付ける。
前述のガイドレール２４の傾斜により、吸着部５１の画面保護用シートｍにおいて、画面ｇに対し後方Ｂ側が前方Ｆ側より若干浮いた状態となる。このため吸着部５１を引き離す際に画面保護用シートｍの後方Ｂ側は自重で画面ｇに向けて落下するものとなり、前方Ｆ側に遅れて後方Ｂ側が漸次画面ｇへ貼着される。このように前方Ｆ側から後方Ｂ側へ向けて画面Ｇへ徐々に貼り付けられて行くことにより、漸次空気を画面ｇと画面保護用シートｍとの間から円滑に空気を抜きつつ画面保護用シートｍを貼り付けることができる。
画面保護用シートｍを貼り付後、制御部は、移動部５２にて吸着部５１を機器配置部２の配置面２１から上昇させる。
【００３５】
上述の通り、１台の携帯型電子機器ｋの画面保護用シートｍの貼り付けごとに、対応する１枚の独立した画面保護用シートｍを、貼着装置へセットするものであり、このように機器に応じてカットされた保護用シートを取り扱うことによって、様々な寸法、形状の携帯型電子機器に、素早く柔軟に対応することができるのである。
【００３６】
（変更例）
移動部５２は、吸着部５１の上記移動が可能であれば周知の他の手段にて実施することができる。例えば、周知のカム機構により、ガイド溝（図示しない。）内にて吸着部５１を変位させることにより吸着部５１の吸着から画面ｇへの貼り付けまでの移動を行うものとしても実施できる。このようにカム機構を利用することにより、装置を小型化することができる。
但し、図示したものや、上記カム機構以外にて移動部５を構成して実施することも可能である。
また、剥離機構部４についても、剥離動作部４１をローラに限定するものではなく、他の押圧部材を用いて、剥離シートｎを捲るものとしても実施できる。
画面保護用シートｍを画面ｇへ貼り付ける際、吸引部５１の吸引口は弁５３にて同時に吸引を遮断するものとする他、図２（Ｂ）の手前（図５（Ａ）の前方Ｆ）側に位置する吸引口よりも奥（図５（Ａ）の後方Ｂ）側へ位置する吸引口のほうが漸次遅れて吸引を解除するように制御することができる。このように吸引口の吸引について手前側から奥側へ時間差を以て解除するものとすることにて、画面保護用シートｍと画面ｇとの間からの空気の排出が円滑に行える。上記時間差による吸引解除ができるように、上記手前側と奥側との間にて位置の異なる吸引口間において対応する弁５３を異なるものとし、当該各弁５３への制御部からの閉弁の指令系統を別々に複数備えるものとすればよい。
画面保護用シートｍは、剥離シートｎのように変形する必要は無く、上記のプラスチックフィルム以外にガラス板などの変形し難い素材を採用することもできる。
また、剥離シートｎについては、剥離動作部４１によって捲ることができるものであればよく、上記のプラスチックフィルム以外に、紙製シートなど変形することが可能な素材を採用することができる。
【符号の説明】
【００３７】
１  ケース
２  機器配置部
３  シート配置部
４  剥離機構部
５  貼着部
１１  第１開閉部
１２  第２開閉部
１３  第３開閉部
１４  ファン  
２１  配置面  
２２  当接部
２３  溝
２４  ガイドレール
２５  ガイド部
３１  シート配置面
３２  被嵌合部
４１  剥離動作部
４２  作動部
４３  軸止部
４４  受け部
５１  吸着部
５２  移動部
５３  弁
【図１】
2017178317.tif 000003
【図２】
2017178317.tif 000004
【図３】
2017178317.tif 000005
【図４】
2017178317.tif 000006
【図５】
2017178317.tif 000007
【図６】
2017178317.tif 000008
【図７】
2017178317.tif 000009
【図８】
2017178317.tif 000010